(57)【特許請求の範囲】
【請求項１】
本体(1)に所定角度毎に間欠回転自在に設けられたリボルバー型弾倉(3)と、前記リボルバー型弾倉(3)に設けられ円周方向に沿って前記所定角度毎に軸方向に沿って配設された複数の火管(4)と、前記本体(1)に設けられ前記火管(4)の雷管を撃つための撃針(7)と、前記本体(1)に設けられ前記撃針(7)を撃つための撃鉄(8)を作動させるための撃発レバー(5)と、前記撃発レバー(5)に連動し前記リボルバー型弾倉(3)の前記間欠回転及び位置決めを行うための間欠回転位置決め機構(50)とを備え、前記リボルバー型弾倉(3)内の各火管(4)を順次間欠回転位置決めして前記撃鉄(8)及び撃針(7)により発火させるように構成した隔螺式閉鎖機用火管自動供給装置において、前記リボルバー型弾倉(3)を支持する弾倉回転支持軸(2)と、前記弾倉回転支持軸(2)を係止する弾倉着脱ピン(22)とを有し、前記間欠回転位置決め機構(50)は、前記撃発レバー(5)に連結された弾倉回転爪連動リンク(40)と、前記弾倉回転爪連動リンク(40)に連結され前記リボルバー型弾倉(3)の前端面(3A)で前記各火管(4)の内側に輪状に形成されると共に所定角度毎に形成された複数のカム部(31)に係合する弾倉回転爪(32)とから構成され、前記弾倉着脱ピン(22)の軸方向移動により前記弾倉回転支持軸(2)の係止が解除され、前記撃発レバー(5)の引きにより前記弾倉回転爪(32)が前記カム部(31)に係合して前記リボルバー型弾倉(3)が１ピッチ回転されるように構成したことを特徴とする隔螺式閉鎖機用火管自動供給装置。
【発明の詳細な説明】
【０００１】
【発明の属する技術分野】
本発明は、隔螺式閉鎖機用火管自動供給装置に関し、特に、複数の火管をリボルバー型弾倉に装填し、火管を自動的に供給すると共に、連続射撃を可能とし、安全性及び信頼性を向上させるための新規な改良に関する。
【０００２】
【従来の技術】
従来、用いられていたこの種の隔螺式閉鎖機用火管自動供給装置としては、例えば、図１１及び図１２で示される構成が採用されていた。
すなわち、図１１及び図１２において符号１で示されるものは砲身であり、この砲身１の砲尾には砲尾環２、閉鎖機構３、開閉機構４及び撃発機構５が設けられ、閉鎖機構３は隔螺式右開き、自動開放式である。
前記砲尾環２は、ほぼ円筒形で、前部外面にねじ込まれたフランジ６には図示しない駐退装置及び復座装置のピストンロッドが連結され、前部内面隔螺ねじに砲身１がねじ込まれている。前記撃発機構５は衝撃式でソレノイドを励磁する方法と、拉縄を引張る方法の２方式が採用されていた。
【０００３】
【発明が解決しようとする課題】
従来の隔螺式閉鎖機用火管自動供給装置は、以上のように構成されていたため、次のような課題が存在していた。
すなわち、従来の隔螺式閉鎖機を装備したりゅう弾砲における火管の供給は、１発ずつ手により供給する方式であり、また、発火の終わった火管の排出は、閉鎖機の開放作動時に連動して火管用閉鎖機を開放するときに排出する方式と、火管用閉鎖機を手により開放し、排出するという二通りの方式であった。そのため、火管の排出には閉鎖機の開放と連動して行う方式があったが、火管の供給は、手により１発ずつ供給（装てん）する方式しかないため、隔螺式閉鎖機を装備したりゅう弾砲では、火管の自動供給（自動装てん）が行えず、砲システムの自動化を採用することが困難であった。
また、火管の供給あるいは火管の排出を手動で行うために砲員は、弾薬装てん後及び発射後には砲側に行き、危険物である火管を手により供給（装てん）する必要があり、非常に危険な行為を行うことになっていた。
発射時、閉鎖機の開放作動時と連動して発火の終わった火管を排出する方式のりゅう弾砲では、排出された火管が装填機、あるいは給弾機の可動部に入り、作動不良を起こし、射撃が中断することが発生していた。
【０００４】
本発明は、以上のような課題を解決するためになされたもので、特に、複数の火管をリボルバー型弾倉に装填し、火管を自動的に供給すると共に、連続射撃を可能とし、安全性及び信頼性を向上させるようにした隔螺式閉鎖機用火管自動供給装置を提供することを目的とする。
【０００５】
【課題を解決するための手段】
本発明による隔螺式閉鎖機用火管自動供給装置は、本体に所定角度毎に間欠回転自在に設けられたリボルバー型弾倉と、前記リボルバー型弾倉に設けられ円周方向に沿って前記所定角度毎に軸方向に沿って配設された複数の火管と、前記本体に設けられ前記火管の雷管を撃つための撃針と、前記本体に設けられ前記撃針を撃つための撃鉄を作動させるための撃発レバーと、前記撃発レバーに連動し前記リボルバー型弾倉の前記間欠回転及び位置決めを行うための間欠回転位置決め機構とを備え、前記リボルバー型弾倉内の各火管を順次間欠回転位置決めして前記撃鉄及び撃針により発火させるようにした隔螺式閉鎖機用火管自動供給装置において、前記リボルバー型弾倉を支持する弾倉回転支持軸と、前記弾倉回転支持軸を係止する弾倉着脱ピンとを有し、前記間欠回転位置決め機構は、前記撃発レバーに連結された弾倉回転爪連動リンクと、前記弾倉回転爪連動リンクに連結され前記リボルバー型弾倉の前端面で前記各火管の内側に輪状に形成されると共に所定角度毎に形成された複数のカム部(31)に係合する弾倉回転爪とから構成され、前記弾倉着脱ピンの軸方向移動により前記弾倉回転支持軸の係止が解除され、前記撃発レバーの引きにより前記弾倉回転爪が前記カム部に係合して前記リボルバー型弾倉が１ピッチ回転されるようにした構成である。
【０００６】
【発明の実施の形態】
以下、図面と共に本発明による隔螺式閉鎖機用火管自動供給装置の好適な実施の形態について説明する。なお、従来例と同一又は同等部分には同一符号を用いて説明する。
図１及び図５において符号１で示されるものは全体形状がほぼ箱形をなす本体であり、この本体１の前部側１Ａにおける弾倉回転支持軸２にはリボルバー型弾倉３が回転自在に設けられ、このリボルバー型弾倉３の円周方向には所定角度毎に複数の火管４がリボルバー型弾倉３の軸方向に沿って配設されている。
【０００７】
前記本体１の後部側１Ｂには、撃発レバー５の軸６に連結され撃針７を有する撃鉄８が撃鉄バネ１４により作動自在に設けられており、前記軸６に連結された連動リンク９には、図６で示される逆鈎ピン１０を有する弾倉位置決めレバー及び逆鈎連動用リンク１３が設けられている。前記弾倉位置決めレバー及び逆鈎連動用リンク１３には、図６で示されるように弾倉位置決めレバー１２が連結されている。
【０００８】
前記リボルバー型弾倉３は、前記本体１のほぼ中央部位置に設けられた弾倉着脱ハンドル２０の操作により本体１に対して着脱自在に設けられており、前記弾倉着脱ハンドル２０は、図１０に示されるように、偏心部２１を介して弾倉着脱ピン２２が接続されており、この弾倉着脱ハンドル２０の回転によって偏心部２１が矢印Ａの方向に所定のストロークで往復動し、前記弾倉回転支持軸２内に内蔵バネ（図示せず）を介して連結し、この弾倉回転支持軸２が本体１に保持されるように構成されている。
【０００９】
前記リボルバー型弾倉３の外周位置には、前記所定角度毎に位置決め穴３０が形成され、前記弾倉位置決めレバー１２の爪部１２ａが各位置決め穴３０に係合するように構成されている。また、前記リボルバー型弾倉３の前端面３Ａには、前記各火管４の内側に輪状に形成され前記所定角度毎に形成された複数のカム部３１が形成され、弾倉回転爪連動リンク４０に連結された弾倉回転爪３２が軸方向に沿って移動して係合するように構成され、撃発レバー５の動作と連動して作動する前記弾倉回転爪３２によってリボルバー型弾倉３の間欠回転が行われるように構成されている。なお、前述のカム部３１と弾倉回転爪３２とにより弾倉３を間欠回転させるための間欠回転位置決め機構５０を構成している。
【００１０】
次に、動作について説明する。まず、リボルバー型弾倉３の着脱について説明する。装着の場合、図１０のように弾倉着脱ハンドル２０を取り外し方向に回転させた状態（すなわち、弾倉着脱ピンが引き抜かれた状態）でリボルバー型弾倉３を弾倉回転支持軸２と共に本体１側へ挿入することにより、弾倉位置決めレバー１２の爪１２ａが各位置決め穴３０の何れかに係合し、その後、弾倉着脱ハンドル２０を前述と逆方向の取付方向に回転させて弾倉着脱ピン２２を元の位置に戻すことにより、弾倉着脱ピン２２は弾倉回転支持軸２に係合し、弾倉回転支持軸２が本体１の支持穴（図示せず）に保持されてリボルバー型弾倉３の本体１への装着が完了する。
また、このリボルバー型弾倉３を本体１から取外す場合、弾倉着脱ハンドル２０を前述の図１０のように、取外し方向に回転させると、偏心部２１が矢印Ａの外側方向に移動することによって弾倉着脱ピン２２が同じ方向に移動し、この着脱ピンが引き抜かれた弾倉回転支持軸２が内蔵バネ（図示せず）のばね力により本体１の支持穴（図示せず）との拘束が解除され、リボルバー型弾倉３は図１０で示されるように、本体１に対してその軸方向と直交する方向Ｂに取出すことができる。
【００１１】
次に、前述のように、リボルバー型弾倉３を本体１内に装填した状態で、撃発レバー５を引き始めると、図８及び図９のように、連動リンク９に連動している弾倉位置決めレバー及び逆鈎連動用リンク１３により弾倉位置決めレバー１２がリボルバー型弾倉３の位置決め保持位置から弾倉回転可能位置に移動保持される。
その後、続いて撃発レバー５をなおも引くことにより、連動リンク９及び弾倉回転爪連動リンク４０を介して弾倉回転爪３２によってリボルバー型弾倉３が１ピッチ回転される。
【００１２】
前述のように、リボルバー型弾倉３が１ピッチ回転すると、弾倉位置決めレバー１２は、弾倉位置決めレバー及び逆鈎連動用リンク１３の保持からはずれ、リボルバー型弾倉３の外周に加工された位置決め穴３０に入り、その位置で位置決め保持される。
【００１３】
その後、続いて撃発レバー５を引くことにより、連動リンク９に連動している弾倉位置決めレバー及び逆鈎連動用リンク１３に結合されている逆鈎ピン１０に掛けられている逆鈎４１を介して撃鉄８が後方に引かれる。この時、撃鉄８の下方の撃発バネ１４が圧縮され、撃発エネルギーが蓄えられる。
さらに、この撃発レバー５の引きにより、逆鈎４１の先端部が逆鈎解放ネジ１１Ａにより上方に回転させられ、逆鈎ピン１０との結合が解放される。この逆鈎ピン１０が解放されると、撃鉄８は撃鉄バネ１４に蓄積されたエネルギーにより前方に回転し、撃鉄８の上部が撃針７をたたき、火管４の雷管をたたいて発火し、火管４の前部から噴出する燃焼ガスにより砲の発射装薬を燃焼させ、砲身薬室内の弾丸を発射する。
なお、前述の構成においては、撃発レバー５をりゅう縄等によって引くようにした手動方式であるが、この撃発レバーをソレノイドあるいは油圧シリンダ等に置き換えることで遠隔操作することも可能である。また、前述のリボルバー型火管自動装填装置は、りゅう弾砲に適用されると共に、砲尾装置としては隔螺式閉鎖機が適用される。
【００１４】
【発明の効果】
本発明による隔螺式閉鎖機用火管自動供給装置は、以上のように構成されているため、次のような効果を得ることができる。すなわち、リボルバー式を採用することで火管は射撃に合わせ自動的に供給され、手による供給の必要がなくなり、安全性向上が図れる。
また、リボルバー式の特徴である発火終了後の火管を収納したままで次の火管を供給することができ、他の装置への噛み込み等による故障がなくなり、信頼性の向上が図れる。
さらに、リボルバーの火管載弾数を１０発程度確保することで、高発射速度での連続射撃が可能となり、りゅう弾砲の運用性が拡大する。
【図面の簡単な説明】
【図１】  本発明による隔螺式閉鎖機用火管自動供給装置の射撃前を示す断面図である。
【図２】  図１の射撃後を示す断面図である。
【図３】  図１の平面図である。
【図４】  図３の要部を示す側面図である。
【図５】  図１の要部の拡大斜視図である。
【図６】  図５の通常状態を示す斜視図である。
【図７】  図６の撃発状態を示す斜視図である。
【図８】  図６の通常状態を示す斜視図である。
【図９】  図８のリボルバー型弾倉の１ピッチ回転状態を示す斜視図である。
【図１０】  図１のリボルバー型弾倉の着脱状態を示す斜視図である。
【図１１】  従来の隔螺式閉鎖機用火管供給装置を示す構成図である。
【図１２】  図１１の縦断面図である。
【符号の説明】
１    本体
２    弾倉回転支持軸
３    リボルバー型弾倉
３Ａ 前端面
４    火管
５    撃発レバー
７    撃針
８    撃鉄
２２    弾倉着脱ピン
３１ カム部
３２ 弾倉回転爪
４０ 弾倉回転爪連動リンク
５０    間欠回転位置決め機構
【図１】
0004127592.tif 000002
【図２】
0004127592.tif 000003
【図３】
0004127592.tif 000004
【図４】
0004127592.tif 000005
【図５】
0004127592.tif 000006
【図６】
0004127592.tif 000007
【図７】
0004127592.tif 000008
【図８】
0004127592.tif 000009
【図９】
0004127592.tif 000010
【図１０】
0004127592.tif 000011
【図１１】
0004127592.tif 000012
【図１２】
0004127592.tif 000013